(57)【特許請求の範囲】
【請求項１】
洗濯物が投入される回転ドラムと、
該回転ドラムを内置する外槽と、
該外槽を内置する外枠と、
前記回転ドラムを駆動する駆動モータが含まれる回転ドラム駆動系と、を備え、
前記回転ドラムは、前記洗濯物が投入されるドラム槽と、前記回転ドラムの回転バランスをとる流体バランスリングと、前記流体バランスリングの外周側に設けられ、外周端が前記回転ドラムの開口端に装着された流体バランスリング支持板と、を有し、
前記回転ドラムの回転軸の一端側を支持した片持ち支持の回転支持機構であって、他端側に前記流体バランスリングを配置した洗濯機において、
前記回転ドラムの前側、且つ前記流体バランスリングの内周側に設けられ、前記回転ドラムの回転バランスを調整するカウンターウエイトを収納する収納凹部を備え、
前記収納凹部は、収納用内周壁と収納用外周壁と収納用底壁と備え、
前記収納用内周壁は、外周側かつ前記回転ドラムに広がるように傾斜部を設けるとともに、
前記収納用底壁と、前記流体バランスリング支持板が前記回転ドラムの径方向かつ内側に延びる直線と、の間に空隙を設け、
前記傾斜部の延長線は、前記流体バランスリング支持板の前記収納凹部側の角部と接するように、前記傾斜部の傾斜角度を構成することを特徴とするドラム式洗濯機。
【発明の詳細な説明】
【技術分野】
【０００１】
本発明は、ドラム式洗濯機に関するものである。
【背景技術】
【０００２】
特開２００６−１１００６５号公報（特許文献１）には「ドラム内に対して出し入れされる洗濯物がドラムの前面開口部付近で引っ掛かり難くできると共に、手などがドラムの前面開口部に触れた際にも熱さを感じ難くでき、しかも部品点数を少なくできて、製造コストを低減することを可能とする。」と記載されている。
【先行技術文献】
【特許文献】
【０００３】
【特許文献１】特開２００６−１１００６５号公報
【発明の概要】
【発明が解決しようとする課題】
【０００４】
特許文献１記載の技術は、洗濯物がドラムの前面開口部付近で引っ掛かり難くするために、バランスリング４に布挟み込み防止用リブを一体に設けている。しかし、洗濯容量の大型化については考慮されていない。
【０００５】
そこで、本発明は、衣類を回転ドラムの槽内に引き込み易くすることで衣類の損傷を低減出来ると共に、洗濯容量の向上を図ることである。
【課題を解決するための手段】
【０００６】
前記課題を解決するため、本発明のドラム式洗濯機は、洗濯物が投入される回転ドラムと、回転ドラムを内置する外槽と、外槽を内置する外枠と、回転ドラムを駆動する駆動モータが含まれる回転ドラム駆動系と、を備え、回転ドラムは、洗濯物が投入されるドラム槽と、回転ドラムの回転バランスをとる流体バランスリングと、流体バランスリングの外周側に設けられ、外周端が回転ドラムの開口端に装着された流体バランスリング支持板と、を有し、回転ドラムの回転軸の一端側を支持した片持ち支持の回転支持機構であって、他端側に前記流体バランスリングを配置した洗濯機において、回転ドラムの前側、且つ流体バランスリングの内周側に設けられ、回転ドラムの回転バランスを調整するカウンターウエイトを収納する収納凹部を備え、収納凹部は、収納用内周壁と収納用外周壁と収納用底壁と備え、収納用内周壁は、外周側かつ回転ドラムに広がるように傾斜部を設けるとともに、収納用底壁と、流体バランスリング支持板が回転ドラムの径方向かつ内側に延びる直線と、の間に空隙を設け、傾斜部の延長線は、流体バランスリング支持板の収納凹部側の角部と接するように、傾斜部の傾斜角度を構成するものとする。
【発明の効果】
【０００７】
本発明によれば、衣類を回転ドラムの槽内に引き込み易くすることで衣類の損傷を低減出来ると共に、洗濯容量の向上が図れるドラム式洗濯機を提供することが出来る。
【図面の簡単な説明】
【０００８】
【図１】本実施形態に係るドラム式洗濯機の外観を示す斜視図である。
【図２】洗濯機構本体の縦断面図である。
【図３】回転ドラムを前側から見た斜視図である。
【図４】洗濯機構本体の前側一部を拡大した拡大断面図である。
【図５】洗濯機構本体の前側一部を拡大した拡大断面図である。
【発明を実施するための形態】
【０００９】
以下、本発明を実施するための形態（以下「実施形態」という）について、適宜図面を参照しながら詳細に説明する。なお、以下では、洗濯から乾燥までの工程を行うことができるドラム式洗濯機（以下、洗濯機と表記する）を例に挙げて説明する。また、以下では、洗濯機Ｓ１を正面から見たときの方向を基準として説明する。
【００１０】
図１に示すように、本実施形態の洗濯機Ｓ１は、外郭が鋼板と樹脂成型品とを組み合わせて構成された筐体１を有し、筐体１がベース１ｈの上に取り付けられて構成されている。筐体１は、左右の側板１ａ，１ｂ（１ｂは図４参照）、前面カバー１ｃ、背面カバー１ｄ（図２参照）、上面カバー１ｅ、下部前面カバー１ｆで構成されている。左右の側板１ａ，１ｂは、コの字型の上補強材（図示せず）、前補強材（図示せず）、後補強材（図示せず）で結合されており、ベース１ｈを含めて箱状の筐体１を形成し、筐体として十分な強度を有している。
【００１１】
前面カバー１ｃの略中央には、衣類など（洗濯物、乾燥対象物）を出し入れするための投入口を塞ぐドア２が、前補強材に設けたヒンジで開閉可能に支持されて構成されている。ドア２の近傍の前面カバー１ｃには、ドア２のロック機構（図示せず）を解除するドア開放ボタン３が設けられている。ドア開放ボタン３を押すことで、ロック機構（図示せず）が外れてドア２が開き、ドア２を前面カバー１ｃに押し付けることでロックされて閉じるようになっている。
【００１２】
筐体１の上部中央には、電源スイッチ４ａ、操作スイッチ４ｂ，４ｃ、表示器４ｄなどを備えた操作パネル４が設けられている。操作パネル４は、筐体１下部に設けた制御装置（図示せず）に電気的に接続されている。また、操作パネル４の左側には、洗剤や柔軟剤などを投入する引き出し式のトレイ５が設けられている。
【００１３】
また、操作パネル４の右側には、引き出し式の乾燥フィルタ６が設けられている。乾燥フィルタ６は、糸くずなどが除去されるようになっている。また、上面カバー１ｅには、水道栓からの給水ホース接続口７ａ，風呂の残り湯の吸水ホース接続口７ｂが設けられている。
【００１４】
回転ドラム１１は、図２に示すように、ドラム槽１１ａ，流体バランスリング１３を有する。ドラム槽１１ａはステンレス鋼鈑で、流体バランスリング１３は合成樹脂で形成されている。ドラム槽１１ａは、胴体部と奥側壁部と前側の開口部を有する。回転ドラム１１が縦置きのときには、奥側壁部が底部になり、前側の開口部が上側の開口部になる。回転ドラム１１は奥側壁部の外側面に設けたフランジ１７を介して駆動モータに支持される。すなわち、回転ドラム１１は回転軸心線方向の一端側（奥側壁部およびフラン１７）を駆動モータが含まれる回転ドラム駆動系で支持し、前記一端側の反対側である他端側に流体バランスリング１３を配置している。これは、所謂、片持ち支持の回転支持機構であって、支持側の反対側であるドラム槽１１ａの開口部に流体バランスリング１３を備えて回転アンバランスを抑えるようにしている。
【００１５】
この流体バランスリング１３は脱水運転時の洗濯物９によるアンバランサの振動を低減する。流体バランスリング１３は、図４に示すように、流体収納部３０と、カウンターウエイト３３が収納される収納凹部３１を有する。カウンターウエイト３３は回転ドラム１１の回転バランスを調整するものである。流体収納部３０は複数の流体収納室３０ａ，３０ｂ，３０ｃ，３０ｄ，３０ｅを有する。この環状の流体収納室３０ａ，３０ｂ，３０ｃ，３０ｄ，３０ｅは径方向に並び、かつドラム槽１１ａの回転軸心に対して同心的な配置になっている。
【００１６】
流体収納室３０ａ，３０ｂ，３０ｃ，３０ｄ，３０ｅは流体が円周方向に抵抗無く自由に流れにくいように半径方向にリブ（図示せず）が付けられている。流体収納室の中に充填される流体用の液体は比重が重く腐敗しない材料として塩化ナトリウム、塩化カリウム
や塩化カルシュウムなどを水溶液が使用される。
【００１７】
流体バランスリング支持板４０はステンレス鋼鈑で形成され、外周端がドラム槽１１ａの開口端にはぜ折かしめで締結されている。この流体バランスリングは流体バランスリング支持板４０は支持されるので、流体バランスリングを直にドラム槽１１ａに取り付けとは違い、流体バランスリングは強い振動にも耐えるように確り支持される。外槽カバー３２は流体バランスリング１３を外側から覆うように設けられる。外槽カバー３２は外周側が外槽２の前側（開口端側）に取り付け支持される。
【００１８】
流体バランスリング１３には、カウンターウエイト３３を挿入する収納凹部３１は設け
られる。カウンターウエイト３３は回転ドラム１１の回転バランスの不釣合いで重さの軽い方に付ける。これにより、回転バランスの不釣合いが調整され、回転アンバランスない回転ドラム１１を提供できる。また、カウンターウエイト３３は回転バランスの不釣合いに応じた重さのものを適宜に用いることで、回転バランスの不釣合い調整はより適正に行われる。こうして回転ドラム自体に存在する回転アンバランスをカウンターウエイトで調整することにより、回転ドラムを高速脱水回転（１７００ＲＰＭ程度）で脱水運転においても振動の少ない洗濯乾燥機を提供できる。
【００１９】
収納凹部３１は、収納用内周壁３１ａと収納用外周壁３１ｂと収納用底壁３１ｃで形成される。収納用内周壁３１ａは、外周側かつ回転ドラム１１に広がるように傾斜部３１ａ’を設ける。さらに、流体バランスリング支持板４０と流体収納室３０ａ，３０ｂ，３０ｃが接地している面がなす直線（流体バランスリング支持板４０が回転ドラム１１の径方向かつ内側に延びる直線）である流体バランスリング支持板延長部４０ａと収納用底壁３１ｃの間に空隙５０(図４の点線で囲まれた領域)を設ける。
【００２０】
傾斜部３１ａ’により、衣類を回転ドラム１１の槽内に引き込むことで衣類の損傷を低減出来ると共に、空隙５０により洗濯容量の向上を図れる。
【００２１】
また、図５に示すように、傾斜部３１ａ’の延長線５１は、流体バランスリング支持板４０の角部５２と接するように、傾斜部３１ａ’の傾斜角度を構成する。これにより、衣類の回転ドラム１１の槽内に引き込みをより促進出来、衣類の損傷を低減出来る。
【００２２】
また、図５に示すように、空隙５０の回転ドラム１１の軸方向の長さ５３は、流体バランスリング支持板４０の内周壁４０ａの略半分程度が望ましい。これにより、収納凹部３１へのカウンターウエイト３３を挿入する容積を確保しつつ、洗濯容量の向上を図れる。
【図１】
0006581430.tif 000002
【図２】
0006581430.tif 000003
【図３】
0006581430.tif 000004
【図４】
0006581430.tif 000005
【図５】
0006581430.tif 000006